(57)【特許請求の範囲】
【請求項１】
診断対象の建物に関し、暖房装置または冷房装置を停止した以降の所定時間内における複数の測定タイミングで前記建物内の測定室の温度を測定して得られた測定室測定データと、前記測定タイミングに対応するタイミングで建物外部の温度を測定して得られた建物外部測定データを入力する測定データ入力手段と、
前記測定室測定データ、前記建物外部測定データ、および所定の熱移動モデルに基づく複数の方程式を用いて、前記診断対象の建物に関する熱損失係数を推定する熱損失係数推定手段とを有し、
前記熱移動モデルは、
前記測定室と前記建物外部との間に前記建物内の仮想的な部屋を設けることによって、前記測定室から前記建物外部への熱移動を２段階で把握する熱移動モデルであり、
前記熱損失係数推定手段は、
前記方程式における未知数の一部に複数パターンの値を設定するとともに、前記建物外部測定データを用いて、前記パターンごとに前記方程式を計算し、前記測定タイミングごとの前記測定室の温度を求め、
前記方程式の計算により得られた前記測定室の温度と、前記測定室測定データとを前記測定タイミングごとに比較して近似度を求め、
前記近似度が最も高いパターンで使用された前記未知数の値に基づいて、熱損失係数を推定することを特徴とする熱損失係数推定装置。
【請求項２】
前記熱移動モデルは、
時間の経過に伴って、前記測定室から前記仮想的な部屋への熱移動による第１の温度変化が生じ、さらに、前記仮想的な部屋から前記建物外部への熱移動による第２の温度変化が生じる熱移動モデルであることを特徴とする請求項１記載の熱損失係数推定装置。
【請求項３】
前記第１の温度変化は、前記測定室から前記仮想的な部屋への熱の逃げやすさを示す前記未知数の１つと関連し、
前記第２の温度変化は、前記仮想的な部屋から前記建物外部への熱の逃げやすさを示す前記未知数の１つと関連することを特徴とする請求項２記載の熱損失係数推定装置。
【請求項４】
前記方程式は、前記熱移動モデルにおける温度変化を示すものを含み、１つの測定タイミングにおける前記測定室の温度は、その直前の測定タイミングにおける前記測定室の温度の関数として表され、１つの測定タイミングにおける前記仮想的な部屋の温度は、その直前の測定タイミングにおける前記仮想的な部屋の温度の関数として表されることを特徴とする請求項２記載の熱損失係数推定装置。
【請求項５】
前記方程式の計算において、前記近似度が最も高いパターンを求めるために、発見的手法を用いることを特徴とする請求項１記載の熱損失係数推定装置。
【請求項６】
診断対象の建物に関し、暖房装置または冷房装置を停止した以降の所定時間内における複数の測定タイミングで前記建物内の測定室の温度を測定して得られた測定室測定データと、前記測定タイミングに対応するタイミングで建物外部の温度を測定して得られた建物外部測定データを入力する測定データ入力手段と、
前記測定室測定データ、前記建物外部測定データ、および所定の熱移動モデルに基づく複数の方程式を用いて、前記診断対象の建物に関する熱損失係数を推定する熱損失係数推定手段とを有し、
前記熱移動モデルは、
前記測定室と前記建物外部との間に前記建物内の仮想的な部屋を設けることによって、前記測定室から前記建物外部への熱移動を２段階で把握する熱移動モデルであることを特徴とする熱損失係数推定装置。
【請求項７】
診断対象の建物に関し、暖房装置を停止した以降の所定時間内における複数の測定タイミングで前記建物内の測定室の温度を測定して得られた測定室測定データと、前記測定タイミングに対応するタイミングで建物外部の温度を測定して得られた建物外部測定データを入力する測定データ入力手段と、
前記測定室測定データ、前記建物外部測定データ、および所定の熱移動モデルに基づく複数の方程式を用いて、前記診断対象の建物に関する熱損失係数を推定する熱損失係数推定手段とを有し、
前記熱損失係数推定手段は、
前記方程式における未知数の一部に複数パターンの値を設定するとともに、前記建物外部測定データを用いて、前記パターンごとに前記方程式を計算し、前記測定タイミングごとの前記測定室の温度を求め、
前記方程式の計算により得られた前記測定室の温度と、前記測定室測定データとを前記測定タイミングごとに比較して近似度を求め、
前記近似度が最も高いパターンで使用された前記未知数の値に基づいて、熱損失係数を推定し、
前記熱移動モデルは、
前記測定室と前記建物外部との間に前記建物内の仮想的な部屋を設けることによって、前記測定室から前記建物外部への熱移動を２段階で把握し、
時間の経過に伴って、前記測定室から前記仮想的な部屋への熱移動による第１の温度降下が生じ、さらに、前記仮想的な部屋から前記建物外部への熱移動による第２の温度降下が生じる熱移動モデルであることを特徴とする熱損失係数推定装置。
【請求項８】
診断対象の建物に関し、暖房装置または冷房装置を停止した以降の所定時間内における複数の測定タイミングで前記建物内の測定室の温度を測定して得られた測定室測定データと、前記測定タイミングに対応するタイミングで建物外部の温度を測定して得られた建物外部測定データを入力する測定データ入力ステップと、
前記測定室測定データ、前記建物外部測定データ、および所定の熱移動モデルに基づく複数の方程式を用いて、前記診断対象の建物に関する熱損失係数を推定する熱損失係数推定ステップとを有し、
前記熱移動モデルは、
前記測定室と前記建物外部との間に前記建物内の仮想的な部屋を設けることによって、前記測定室から前記建物外部への熱移動を２段階で把握するモデルであり、
前記熱損失係数推定ステップは、
前記方程式における未知数の一部に複数パターンの値を設定するとともに、前記建物外部測定データを用いて、前記パターンごとに前記方程式を計算し、前記測定タイミングごとの前記測定室の温度を求め、
前記方程式の計算により得られた前記測定室の温度と、前記測定室測定データとを前記測定タイミングごとに比較して近似度を求め、
前記近似度が最も高いパターンで使用された前記未知数の値に基づいて、熱損失係数を推定することを特徴とする熱損失係数推定方法。
【請求項９】
コンピュータに、
診断対象の建物に関し、暖房装置または冷房装置を停止した以降の所定時間内における複数の測定タイミングで前記建物内の測定室の温度を測定して得られた測定室測定データと、前記測定タイミングに対応するタイミングで建物外部の温度を測定して得られた建物外部測定データを入力する測定データ入力手段、および、
前記測定室測定データ、前記建物外部測定データ、および所定の熱移動モデルに基づく複数の方程式を用いて、前記診断対象の建物に関する熱損失係数を推定する熱損失係数推定手段として機能させるためのプログラムであって、
前記熱移動モデルは、
前記測定室と前記建物外部との間に前記建物内の仮想的な部屋を設けることによって、前記測定室から前記建物外部への熱移動を２段階で把握するモデルであり、
前記熱損失係数推定手段は、
前記方程式における未知数の一部に複数パターンの値を設定するとともに、前記建物外部測定データを用いて、前記パターンごとに前記方程式を計算し、前記測定タイミングごとの前記測定室の温度を求め、
前記方程式の計算により得られた前記測定室の温度と、前記測定室測定データとを前記測定タイミングごとに比較して近似度を求め、
前記近似度が最も高いパターンで使用された前記未知数の値に基づいて、熱損失係数を推定することを特徴とするプログラム。
【発明の詳細な説明】
【技術分野】
【０００１】
この発明は、建物の熱損失係数を効果的に推定する熱損失係数推定装置に関する。
【背景技術】
【０００２】
平成１２年４月１日に、住宅の品質確保と消費者の保護を目的として「住宅の品質確保の促進等に関する法律」が施行され、そこで、様々な住宅の性能をわかりやすく表示する「住宅性能表示制度」が制定された。この「住宅性能表示制度」における性能表示事項の一つが温熱環境に関する事項であり、より具体的には、省エネルギー対策等級というものである。
【０００３】
省エネルギー対策等級が高ければ、それだけ建物の断熱性が上がり、暖冷房費を節約することができる。消費者は、こうした省エネルギーの指標を参考にして、より好ましい住宅の購入を検討することができる。また、近年、省エネルギーや環境問題に対する意識の高まりを背景に、省エネルギー対策等級が高い住宅に対しては、さまざまな補助・助成制度が設けられている。たとえば、平成２２年には、国土交通省、経済産業省、環境省の三省合同事業として、住宅のエコリフォームやエコ住宅の建築に着工した場合に、様々な商品等と交換可能な住宅エコポイントが与えられる制度が開始されている。
【０００４】
省エネルギー対策等級は、熱損失係数（Ｑ値）や夏期日射取得係数（μ値）といった、省エネルギーに関する性能情報を利用した一定の基準によって判定される。ここで、熱損失係数は、建物の断熱性能を表す数値であり、建物の内部と外気の温度差を１℃としたときに、建物内部から建物外部へ逃げる時間あたりの熱量を床面積で除した数値のことを指す。したがって、このＱ値が小さいほど住宅の断熱性能が高いことになり、省エネルギー対策等級等の省エネ基準の判断においては有利なものとなる。
【０００５】
こうした、省エネルギーに関する性能情報を求めるために各種ソフトウエアが用意されている。代表的なタイプは、建物全体の情報や各部屋についての詳細な仕様など（たとえば、間取り、床・天井・壁の仕様、使用している断熱材の種類等）を用い、定義にしたがって上記性能情報を理論的に計算するソフトウエアである。また、建物の仕様に関するデータを入力するとともに、建物の様々な場所で温度を測定し、これらのデータから省エネルギーに関する性能情報を計算するソフトウエアもある。
【０００６】
しかしながら、これらの既存のソフトウエアで上記性能情報を求めようとする場合、建物の仕様に関する詳細なデータを大量に入力する必要があり、このようなデータ入力は極めて煩雑であるとともに長時間を要するものである。こうした問題に対応するために、特許文献１では、データ入力を簡略化した個別建物の性能情報提示装置が提案されている。特許文献１の性能情報提示装置は、基本的な仕様を有する建物についてあらかじめ取得したシミュレーション結果から導き出した熱損失係数−暖房負荷近似線情報に基づいて暖房負荷を予測する。
【先行技術文献】
【特許文献】
【０００７】
【特許文献１】特開２００２−４４０３号公報
【発明の概要】
【発明が解決しようとする課題】
【０００８】
しかしながら、特許文献１のような性能情報提示装置では、Ｑ値の計算を従来の方法で行う必要があり、依然として多くのデータ入力が要求される。たとえば、Ｑ値を求めるために、少なくとも個別建物の開口部データおよび建物寸法データなどの入力が必要である（ここで、開口部データとは窓等の大きさ、配置、向き等であり、建物寸法データとは外壁の面積や向き等である）。
【０００９】
したがって、本発明の目的は、ユーザに煩雑なデータ入力を強いることなく、再現性の高い温度予測を行い、高い精度でＱ値を推定することができる熱損失係数推定装置、熱損失係数推定方法、およびプログラムを提供することである。
【課題を解決するための手段】
【００１０】
本発明の第１の実施態様は、診断対象の建物に関し、暖房装置または冷房装置を停止した以降の所定時間内における複数の測定タイミングで建物内の測定室の温度を測定して得られた測定室測定データと、測定タイミングに対応するタイミングで建物外部の温度を測定して得られた建物外部測定データを入力する測定データ入力手段と、測定室測定データ、建物外部測定データ、および所定の熱移動モデルに基づく複数の方程式を用いて、診断対象の建物に関する熱損失係数を推定する熱損失係数推定手段とを有する熱損失係数推定装置である。ここで、熱移動モデルは、測定室と建物外部との間に建物内の仮想的な部屋を設けることによって、測定室から建物外部への熱移動を２段階で把握する熱移動モデルであり、また、熱損失係数推定手段は、方程式における未知数の一部に複数パターンの値を設定するとともに、建物外部測定データを用いて、パターンごとに方程式を計算し、測定タイミングごとの測定室の温度を求め、方程式の計算により得られた測定室の温度と、測定室測定データとを測定タイミングごとに比較して近似度を求め、近似度が最も高いパターンで使用された未知数の値に基づいて、熱損失係数を推定する。
【００１１】
本発明の第２の実施態様は、第１の実施態様の熱損失係数推定装置において、熱移動モデルが、時間の経過に伴って、測定室から仮想的な部屋への熱移動による第１の温度変化が生じ、さらに、仮想的な部屋から建物外部への熱移動による第２の温度変化が生じる熱移動モデルであるように構成される。
【００１２】
本発明の第３の実施態様は、第２の実施態様の熱損失係数推定装置において、第１の温度変化は、測定室から仮想的な部屋への熱の逃げやすさを示す未知数の１つと関連し、第２の温度変化は、仮想的な部屋から建物外部への熱の逃げやすさを示す未知数の１つと関連するよう構成される。
【００１３】
本発明の第４の実施態様は、第２の実施態様の熱損失係数推定装置において、方程式は、熱移動モデルにおける温度変化を示すものを含み、１つの測定タイミングにおける測定室の温度は、その直前の測定タイミングにおける測定室の温度の関数として表され、１つの測定タイミングにおける仮想的な部屋の温度は、その直前の測定タイミングにおける仮想的な部屋の温度の関数として表されるよう構成される。
【００１４】
ここで、所定の熱移動モデルに基づく複数の方程式は、たとえば、後述する式１ないし式４であり、近似度が最も高いパターンで使用された未知数（β）の値に基づいて、たとえば、後述する式５により、熱損失係数、すなわちＱ値が推定される。
【００１５】
本発明の第５の実施態様は、第１の実施態様の熱損失係数推定装置において、方程式の計算を行う際に、近似度が最も高いパターンを求めるために、発見的手法を用いるように構成される。
【００１６】
本発明の第６の実施態様は、診断対象の建物に関し、暖房装置または冷房装置を停止した以降の所定時間内における複数の測定タイミングで建物内の測定室の温度を測定して得られた測定室測定データと、測定タイミングに対応するタイミングで建物外部の温度を測定して得られた建物外部測定データを入力する測定データ入力手段と、測定室測定データ、建物外部測定データ、および所定の熱移動モデルに基づく複数の方程式を用いて、診断対象の建物に関する熱損失係数を推定する熱損失係数推定手段とを有する熱損失係数推定装置である。ここで、熱移動モデルは、測定室と建物外部との間に建物内の仮想的な部屋を設けることによって、測定室から建物外部への熱移動を２段階で把握する熱移動モデルである。
【００１７】
また、本発明の第６の実施態様で利用する熱移動モデルは、上述の第２ないし第４の実施態様と同様のものとすることができる。さらに、所定の熱移動モデルに基づく複数の方程式として、後述の式１ないし式４が採用されうる。
【００１８】
本発明の第７の実施態様は、診断対象の建物に関し、暖房装置を停止した以降の所定時間内における複数の測定タイミングで建物内の測定室の温度を測定して得られた測定室測定データと、測定タイミングに対応するタイミングで建物外部の温度を測定して得られた建物外部測定データを入力する測定データ入力手段と、測定室測定データ、建物外部測定データ、および所定の熱移動モデルに基づく複数の方程式を用いて、診断対象の建物に関する熱損失係数を推定する熱損失係数推定手段とを有する熱損失係数推定装置である。ここで、熱損失係数推定手段は、方程式における未知数の一部に複数パターンの値を設定するとともに、建物外部測定データを用いて、パターンごとに方程式を計算し、測定タイミングごとの測定室の温度を求め、方程式の計算により得られた測定室の温度と、測定室測定データとを測定タイミングごとに比較して近似度を求め、近似度が最も高いパターンで使用された未知数の値に基づいて、熱損失係数を推定するように構成される。また、熱移動モデルは、測定室と建物外部との間に建物内の仮想的な部屋を設けることによって、測定室から建物外部への熱移動を２段階で把握し、時間の経過に伴って、測定室から仮想的な部屋への熱移動による第１の温度降下が生じ、さらに、仮想的な部屋から建物外部への熱移動による第２の温度降下が生じる熱移動モデルであるように構成される。
【００１９】
また、本発明の第６の実施態様で利用する熱移動モデルは、上述の第３および第４の実施態様と同様のものとすることができる。さらに、所定の熱移動モデルに基づく複数の方程式として、後述の式１ないし式４が採用されうる。
【００２０】
本発明の第８の実施態様は、診断対象の建物に関し、暖房装置または冷房装置を停止した以降の所定時間内における複数の測定タイミングで建物内の測定室の温度を測定して得られた測定室測定データと、測定タイミングに対応するタイミングで建物外部の温度を測定して得られた建物外部測定データを入力する測定データ入力ステップと、測定室測定データ、建物外部測定データ、および所定の熱移動モデルに基づく複数の方程式を用いて、診断対象の建物に関する熱損失係数を推定する熱損失係数推定ステップとを有する熱損失係数推定方法である。ここで、熱移動モデルは、測定室と建物外部との間に建物内の仮想的な部屋を設けることによって、測定室から建物外部への熱移動を２段階で把握するモデルであり、熱損失係数推定ステップは、方程式における未知数の一部に複数パターンの値を設定するとともに、建物外部測定データを用いて、パターンごとに方程式を計算し、測定タイミングごとの測定室の温度を求め、方程式の計算により得られた測定室の温度と、測定室測定データとを測定タイミングごとに比較して近似度を求め、近似度が最も高いパターンで使用された未知数の値に基づいて、熱損失係数を推定するように構成される。
【００２１】
また、本発明の第８の実施態様で利用する熱移動モデルは、上述の第２ないし第４の実施態様と同様のものとすることができる。さらに、所定の熱移動モデルに基づく複数の方程式として、後述の式１ないし式４が採用されうる。
【００２２】
本発明の第９の実施態様は、コンピュータに、診断対象の建物に関し、暖房装置または冷房装置を停止した以降の所定時間内における複数の測定タイミングで建物内の測定室の温度を測定して得られた測定室測定データと、測定タイミングに対応するタイミングで建物外部の温度を測定して得られた建物外部測定データを入力する測定データ入力手段、および、測定室測定データ、建物外部測定データ、および所定の熱移動モデルに基づく複数の方程式を用いて、診断対象の建物に関する熱損失係数を推定する熱損失係数推定手段として機能させるためのプログラムである。ここで、熱移動モデルは、測定室と建物外部との間に建物内の仮想的な部屋を設けることによって、測定室から建物外部への熱移動を２段階で把握するモデルであり、熱損失係数推定手段は、  方程式における未知数の一部に複数パターンの値を設定するとともに、建物外部測定データを用いて、パターンごとに方程式を計算し、測定タイミングごとの測定室の温度を求め、方程式の計算により得られた測定室の温度と、測定室測定データとを測定タイミングごとに比較して近似度を求め、近似度が最も高いパターンで使用された未知数の値に基づいて、熱損失係数を推定するように構成される。
【００２３】
また、本発明の第８の実施態様で利用する熱移動モデルは、上述の第２ないし第４の実施態様と同様のものとすることができる。さらに、所定の熱移動モデルに基づく複数の方程式として、後述の式１ないし式４が採用されうる。
【発明の効果】
【００２４】
本発明に係る熱損失係数推定装置によって、従来のように、建物の仕様に関する多くのデータを入力することなく、今までにない熱移動モデルを用いて、高い精度でＱ値の推定を行うことが可能となる。
【図面の簡単な説明】
【００２５】
【図１】本発明に係る熱損失係数推定装置を含む熱損失係数推定システムの概要を示す略線図である。
【図２】本発明に係る熱損失係数推定装置で使用する熱移動モデルを説明するための略線図である。
【図３】本発明に係る熱損失係数推定装置の機能ブロック図である。
【図４】本発明に係る熱損失係数推定装置で使用されるロガーデータおよび保存データの例を示す略線図である。
【図５】本発明に係る熱損失係数推定装置に関し、表示装置に表示される画面の例を示す略線図である。
【図６】本発明に係る熱損失係数推定装置に関し、表示装置に表示される画面の例を示す略線図である。
【図７】本発明に係る熱損失係数推定装置における熱損失係数推定処理の手順の例を示すフローチャートである。
【図８】本発明に係る熱損失係数推定装置における熱損失係数推定処理の具体的な計算過程の例を示す略線図である。
【図９】本発明に係る熱損失係数推定装置を構成するコンピュータのハードウエア構成の例を示す略線図である。
【発明を実施するための形態】
【００２６】
本発明の熱損失係数推定装置は、冬期に実際の建物において、冷房装置または暖房装置の稼働を停止した以降の、建物内部と建物外部の温度を測定し、それらの測定データと今までにない熱移動モデルを用いて、熱損失係数、すなわちＱ値の推定を行う。
【００２７】
最初に、本発明の一実施形態に係る熱損失係数推定装置を含む熱損失係数推定システム１の概要を、図１を参照して説明する。熱損失係数推定システム１は、建物１０、温度計２０、温度計２２、および熱損失係数推定装置３０を含むよう構成される。建物１０は、居住のための住宅のほか、事務所や集合住宅など、様々な目的の建造物を含む。建物１０には、冷暖房装置１２が配置または配設される。測定室１４は建物１０の内部にある部屋であり、基本的には冷暖房装置１２が配置等され、冷房により室内の空気が冷やされるかまたは、暖房により室内の空気が温められる部屋である。なお、本発明の熱損失係数推定装置は、冷房または暖房のどちらかにより実現可能であり、したがって、冷房機能のみを備えた冷房装置や暖房機能のみを備えた暖房装置を用いることもできる。ここでは、冷暖房装置１２での暖房機能を利用した例について説明する。
【００２８】
温度計２０は、測定室１４に（通常または一時的に）設置され、測定期間内に、少なくとも暖房停止時以降の室温を所定時間、所定のインターバルで測定して、測定結果をメモリー等に記憶する温度データロガーである。上記所定時間は、たとえば６時間であり、インターバルは１分である。温度計２０は、測定室１４の床から約１２０ｃｍの高さに配置され、冷暖房装置１２の温風が直接あたらないなど、冷暖房装置１２による局所的な影響を受けない場所であることが好ましい。温度計２０のメモリー等に記憶された測定結果（測定室測定データ２４）は、測定期間の終了後、ユーティリティ等を利用することにより、たとえばＵＳＢケーブルを介して熱損失係数推定装置３０に提供される。
【００２９】
温度計２２は、温度計２０と同様の温度データロガーであり、建物１０の外部に（通常は一時的に）配置され、特に、建物１０に近接した場所、たとえば玄関先など、建物１０の外部の温度を適切に代表する場所に配置されることが望ましい。また、温度計２２は、測定期間内に、建物１０の外気温を温度計２０と同じ時間、同じインターバルで測定する。このとき、温度計２２の測定タイミングは温度計２０のそれぞれの測定タイミングに対応し、対応する両方の測定タイミングが完全に一致していることが望ましい。メモリー等に記憶された測定結果（建物外部測定データ２６）は、測定期間の終了後、ユーティリティ等を利用することにより、たとえばＵＳＢケーブルを介して熱損失係数推定装置３０に提供される。
【００３０】
熱損失係数推定装置３０は、たとえば、パーソナルコンピュータや携帯端末のようなコンピュータ機器である。熱損失係数推定装置３０は、温度計２０から取得した測定室測定データ２４、温度計２２から取得した建物外部測定データ２６、および所定の熱移動モデルに基づいて、その建物１０の熱損失係数、すなわちＱ値を推定し、必要に応じて熱損失係数推定装置３０の表示装置にＱ値の表示を行う。この実施形態では、熱損失係数推定装置３０がスタンドアロンで測定データを取得し、Ｑ値の推定を行う。
【００３１】
図１の熱損失係数推定装置３７は、本発明の別の実施形態に係る熱損失推定装置である。ＰＣ３８は、たとえば、ＡＳＰサービスとして提供される熱損失係数推定サービスを利用してＱ値を取得し、必要に応じてＰＣ３８の表示装置に、そのＱ値を表示する。この場合、ＰＣ３８は、熱損失係数推定装置３０と同様に、温度計２０および温度計２２からそれぞれ測定データを取得する。その後、これらの測定データを、ユーザ等の指示により、インターネットのようなネットワーク３９を介して、ＡＳＰサーバである熱損失係数推定装置３７に送信する。熱損失係数推定装置３７は、入力したこれらの測定データと所定の熱移動モデルに基づいて、その建物１０の熱損失係数、すなわちＱ値を推定し、これをＰＣ３８にネットワーク３９経由で送信する。
【００３２】
ここでは、本発明の熱損失係数推定装置が、スタンドアロンで実施されるケースとＡＳＰサービスとして実施されるケースを例示したが、これ以外にも、複数の様々なタイプのコンピュータとネットワークを用いて様々な形態で本発明の熱損失係数推定装置を実現することができる。
【００３３】
また、図１の例では、温度データロガーによって測定室と建物外部の温度を測定期間の間、測定・記憶し、測定が終了した後にＵＳＢケーブルを介して熱損失係数推定装置３０やＰＣ３８に測定データをコピーするようにしているが、これも一例に過ぎず、様々なデータ提供方法が考えられる。たとえば、温度計が、ほぼリアルタイムに測定データを送信することができれば、熱損失係数推定装置３０やＰＣ３８は、その都度当該測定データを受信することも可能であり、また、遠方で測定された測定データについては、これを外部記録媒体に記録し、メールや郵便によって熱損失係数推定装置３０等の操作部門に送付するようにもできる。
【００３４】
図２は、本発明の熱損失係数推定装置で用いられる熱移動モデルの概念を示す図である。図２の建物５０には、測定室５１、仮想室５２、熱供給体５４、および熱供給体５５が含まれる。建物５０の外部には、建物外部５３が設けられる。この熱移動モデルは、測定室５１と建物外部５３の間に、建物５０の内部にある仮想的な部屋（上述の仮想室５２）を設定することにより、測定室５１から建物外部５３への２段階の熱移動を把握する。このために、比較的単純な熱移動モデルでありながら、実際の測定室の測定データとよく整合した温度変化グラフを再現することができる。仮想室５２を用いない単純な熱移動モデルを考えることもできるが、この熱移動モデルでは、測定室の測定データについて高い再現性が得られない。ここで、仮想室５２とは、測定室５１と建物外部５３の間にあって、熱供給体である暖房装置が停止した際に、測定室５１と建物外部５３の間の温度を持つ部屋として仮想的に設定されたものである。
【００３５】
この熱移動モデルを、図２を参照して説明する。測定室５１に対して、エア・コンディショナーなどの暖房装置を含む家電製品および人体や地熱等の熱供給体５４から熱が供給される。ここで、熱供給体５４からの熱による１分間の温度上昇をＨｓ１とする。一方、測定室５１から仮想室５２への熱移動が存在する。ここで、暖房停止後、ｉ〜ｉ＋１分目の間の熱移動による温度変化（温度降下）をＨ１ｉとする。測定室５１の温度は、暖房停止後、ｉ分目の温度をＴ１ｉとする。
【００３６】
仮想室５２に対して、暖房装置などの家電製品および人体や地熱等の熱供給体５５から熱が供給される。ここで、熱供給体５５からの熱による１分間の温度上昇をＨｓ２とする。一方、仮想室５２から建物外部５３への熱移動が存在する。ここで、暖房停止後、ｉ〜ｉ＋１分目の間の熱移動による温度変化（温度降下）をＨ２ｉとする。仮想室５２の温度は、暖房停止後、ｉ分目の温度をＴ２ｉとする。
【００３７】
建物外部５３の温度は、暖房停止後ｉ分目の温度をＴ３ｉとする。そして、このような熱移動モデルに基づいて、測定室５１の温度降下を計算するための以下の方程式が与えられる。
Ｔ１ｉ＋１＝Ｔ１ｉ−Ｈ１ｉ＋Ｈｓ１      ・・・  式１
Ｈ１ｉ    ＝（Ｔ１ｉ−Ｔ２ｉ）×α    
・・・  式２
Ｔ２ｉ＋１＝Ｔ２ｉ−Ｈ２ｉ＋Ｈｓ２      ・・・  式３
Ｈ２ｉ    ＝（Ｔ２ｉ−Ｔ３ｉ）×β    
・・・  式４
β  ＝  Ｑ  ×  ６０  ÷  Ｃ        ・・・  式５
【００３８】
ｉは、暖房停止時よりｉ分後を示しており、温度計２２により求めた建物外部測定データ２６を、Ｔ３０〜Ｔ３３６０、すなわち、暖房停止時（０分後）から、６時間後（３６０分後）の測定データとする。同様に、測定室５１について計算により求めた温度（計算データ）は、Ｔ１１〜Ｔ１３６０である。なお、温度計２０により求めた測定室測定データ２４は、Ｔ００〜Ｔ０３６０とする。
【００３９】
ここで、式１と式３は、ｉ分目の温度を使用して、ｉ＋１分目の温度を求める、いわゆる漸化式に類する構成となっている。また、αは、測定室５１から仮想室５２への熱の逃げやすさを表す定数であり、βは、仮想室５２から建物外部５３への熱の逃げやすさを表す定数である。また、α、β、Ｔ２０の初期値として、所定の値が採用される。また、Ｈｓ１やＨｓ２、建物５０の床面積当たりの熱容量Ｃ、Ｔ１０についても所定の値が採用される。ここで、所定の値は、あらかじめ定められた定数のほか、測定データ等の既知のデータに関連した数値であってもよい。なお、式５の「Ｑ」は、Ｑ値を示している。
【００４０】
上述した初期値および定数を設定するとともに、Ｔ３０〜Ｔ３３６０の建物外部測定データ２６を使用して、式１から式４の計算をそれぞれ、ｉ＝０からｉ＝３５９について順次繰り返すと、最終的に、測定室５１の温度に関する計算データとして、Ｔ１１〜Ｔ１３６０が求められる。次に、この計算データと、測定室測定データ２４のＴ０１〜Ｔ０３６０を、各タイミングで比較し、両者の近似度を求める。近似度は、たとえば、各タイミングの値の差における絶対値を累積した値Ｚで表される。すなわち、Ｚ＝Σ［|(Ｔ１１−Ｔ０１)|＋|(Ｔ１２−Ｔ０２)|＋|(Ｔ１３−Ｔ０３)|＋・・・＋|(Ｔ１３６０−Ｔ０３６０)|］である。この値Ｚが小さいほど、近似度が高いと言える。
【００４１】
この後、上記の値Ｚを最小にするように（すなわち、近似度が最も高くなるように）、α、β、Ｔ２０の未知数のうち少なくとも１つを変化させて再び式１から式４によりＴ１１〜Ｔ１３６０を順次計算し、Ｔ０１〜Ｔ０３６０との比較を繰り返す。このように、複数パターンの未知数の組（α、β、Ｔ２０）を用いて繰り返し計算を行うことにより、最も高い近似度を得る未知数の最適値（α、β、Ｔ２０）が求められる。こうして求められた最適値のβを用いて式５を計算することによって、最適なＱ値が推定される。こうした計算手順の具体的な例については、図７および図８を参照して後で説明する。
【００４２】
ここで、最適値（α、β、Ｔ２０）を求めるには、α、β、Ｔ２０について、可能な取り得る値の組み合わせをすべて試す計算（いわゆる総当たり的計算）を行い、値Ｚが最小となった場合のα、β、Ｔ２０を最適値とすることができるが、このような方法では計算量が膨大となり、極めて長時間の計算時間を要することになる。したがって、発見的手法（山登り法）といったアプローチによって、最小の値Ｚに効率よく短時間でたどり着くように、α、β、Ｔ２０の各値の変化を制御することが望ましい。
【００４３】
また、ここでは、比較対象の温度差の絶対値を累積した値Ｚによって近似度を判断しているが、これは一例に過ぎない。標準偏差や、所定値以上の差となったデータの頻度など、他の基準に基づく値によって近似度を判断することができる。また、これらの基準を複数組み合わせることによって近似度を判断してもよい。
【００４４】
また、この例では、測定室測定データ２４および建物外部測定データ２６は、暖房停止時から、同じタイミングで１分ごとに６時間分測定され、これらの測定データがＱ値の推定に利用されているが、他のインターバルおよび他の時間で測定室および建物外部の温度を測定するようにしてもよい。
【００４５】
図３は、本発明の熱損失係数推定装置の機能ブロック図である。図３の熱損失係数推定装置３０は、図１に関して説明したとおり、スタンドアロンタイプの熱損失係数推定装置の例である。熱損失係数推定装置３０は、測定データ入力部３１、熱損失係数推定部３２、温度降下グラフ描画処理部３３、表示部３４、および入力部３５を含む。また、熱損失係数推定装置３０が備える記憶装置４０には、ロガーデータ４１、および保存データ４２が記憶されている。
【００４６】
測定データ入力部３１は、記憶装置４０のロガーデータ４１から、温度計２０により測定された測定室測定データ２４と温度計２２により測定された建物外部測定データ２６を入力する。ロガーデータ４１には、測定室測定データ２４および建物外部測定データ２６が含まれており、これらの測定データは通常、ユーティリティなどによりＵＳＢケーブル等を介して事前に温度計２０および温度計２２から熱損失係数推定装置３０にコピーされ、連結されているものである。
【００４７】
ロガーデータ４１は、たとえば、図４Ａに示すようなデータであり、データ種別、日付、時間、測定温度といった項目を含む。この例では、データ種別が「ｃｈ２」と「ｃｈ６」となっているが、「ｃｈ２」は、床から約１２０ｃｍの位置で測定室の温度を測定したデータ（測定室測定データ２４）であり、「ｃｈ６」は、外気を測定したデータ（建物外部測定データ２６）である。これらの測定データは、いずれも、２０１０年２月１日１２時１０分０秒から、暖房停止時の２２時５５分０秒を含み、暖房停止６時間後の２０１０年２月２日４時５５分０秒まで、１分おきに取った測定データであり、暖房停止以降については、それぞれ合計で３６１の測定データが記録されている。ロガーデータ４１は、テキスト形式やＣＳＶ形式のほか、様々なタイプのファイルとして構成することができる。
【００４８】
上記のような時間に暖房停止を行い、かつ暖房停止６時間後まで温度測定を行うことは、暖房停止時の測定室の温度と外気の温度との差が大きい時間帯での温度を取得することになり、このことは結果的に、Ｑ値推定の精度向上に貢献する。また、建物に居住する者がいる場合は、上記時間帯のために、その者の生活に大きな影響を与えることなく有効な測定データを取得することができる。
【００４９】
なお、測定室測定データ２４の測定タイミングと、これに対応する建物外部測定データ２６の計測タイミングは、Ｑ値の推定精度を考慮すると、秒単位あるいはミリ秒単位といった精度で同期付けられていることが好ましいが、このような厳密な同期レベルが常に要求されるわけではない。通常は、温度計２０および温度計２２に対する設定により、計測タイミングの同期が図られる。
【００５０】
熱損失係数推定部３２は、測定室測定データ２４と建物外部測定データ２６を用い、上述の熱移動モデルに基づく方程式（式１から式５）を利用してＱ値の推定を行う。温度降下グラフ描画処理部３３は、測定室測定データ２４と建物外部測定データ２６を時系列のグラフとして表示するとともに、熱損失係数推定部３２により求められたαとＴ２０の最適値を用いて、等級（省エネルギー対策等級）が２から４の場合に、時間経過に伴う温度降下がどのようになるかを、各等級に対応するＱ値を用いることによって（Ｔ１を）求め、グラフとして表示する。
【００５１】
表示部３４は、たとえば、ＬＣＤなどのディスプレイ装置を含み、ユーザの操作等に応じて、熱損失係数推定部３２で推定されたＱ値や、温度降下グラフ描画処理部３３で作成されたグラフを表示するよう制御する。入力部３５は、ユーザの指示を入力するためのデバイスであり、キーボードやマウス等がこれに相当する。
【００５２】
ここでは、ＡＳＰサーバとして構成される熱損失係数推定装置３７についての詳細な説明は省略したが、図３の熱損失係数推定装置３０と同様に、測定データ入力部３１および熱損失係数推定部３２を有し、さらに、ＰＣ３８で稼働するＷＥＢブラウザ等のリクエストに応答する形で、推定結果のＱ値をＰＣ３８に送信する推定結果送信部３６（不図示）を有する。
【００５３】
図４Ｂに示す保存データ４２は、図５の診断メニュー画面１００のデータ保存ボタン１２５を押下したときに記憶装置４０に記憶される。この例では、図５に関して説明する建物情報入力画面で入力する建物情報と、診断対象の測定室測定データ２４と建物外部測定データ２６を含むロガーデータ４１のファイル名を含むように構成されている。もちろん、ロガーデータ４１の内容そのものを含むように構成することもできる。保存データ４２は、ロガーデータ４１と同様テキスト形式やＣＳＶ形式であり、様々なタイプのファイルとして構成することもできる。
【００５４】
図５は、アプリケーションが表示する画面の例である。当該アプリケーションは、スタンドアロンの場合は、ユーザの起動指示によって熱損失係数推定装置３０で実行されるプログラムであり、ＡＳＰサービスとして実現される場合は、たとえば、ＰＣ３８で実行されるＷＥＢブラウザである。このＷＥＢブラウザを介して、ＡＳＰサーバである熱損失係数推定装置３７に測定データが送信され、熱損失係数推定装置３７から送信されてきたＱ値の推定結果が表示される。
【００５５】
図５の診断メニュー画面１００は、対象表示エリア１１０とボタン表示エリア１２０を備え、対象表示エリア１１０には、建物情報入力画面（不図示）で入力された診断対象の建物の名称および当該建物の仕様が表示される。建物の名称と建物の仕様は、データを識別するためのものである。
【００５６】
ボタン表示エリア１２０には、新規作成ボタン１２１、既存データ読込ボタン１２２、建物情報入力ボタン１２３、暖房停止後温度降下グラフ表示ボタン１２４、データ保存ボタン１２５、および終了ボタン１２６がある。
【００５７】
新規作成ボタン１２１を押下すると、ロガーデータ４１の一覧が表示されたロガーデータ選択画面（不図示）が表示され、ユーザがそのなかから、Ｑ値の推定に用いるロガーデータをマウス等でクリックすることにより選択すると、続いて建物情報入力画面（不図示）が表示される。その後の操作は、建物情報入力ボタン１２３を押下した場合（後述）と同様である。ロガーデータ４１には、測定室測定データ２４と建物外部測定データ２６が含まれており、これらのデータは、あらかじめユーティリティなどにより、温度計２０および温度計２２のメモリーから（たとえばＵＳＢケーブル経由で）熱損失係数推定装置３０の記憶装置４０にコピーされている。
【００５８】
既存データ読込ボタン１２２を押下すると、データ保存ボタン１２５の押下によってすでに保存されている保存データ４２の一覧が表示された保存データ選択画面（不図示）が表示され、ユーザがそのなかから、Ｑ値の推定に用いる保存データ４２をマウス等でクリックすると当該保存データ４２の選択が行われ、ふたたび診断メニュー画面１００に戻る。保存データ４２は、Ｑ値の推定に使用する測定室測定データ２４と建物外部測定データ２６のファイル名（またはデータそのもの）のほかに、建物情報を含んでいる。
【００５９】
建物情報入力ボタン１２３を押下すると、建物情報入力画面（不図示）が表示され、そこで、建物の名称と建物の仕様を入力する。さらに、ここで、地域区分と測定情報が入力される。地域区分は、等級１から等級４までの温度降下グラフを作成する際に使用される。また、測定情報には、測定期間、暖房停止時刻、および使用時間（Ｑ値の推定に使用する測定データの時間）等が含まれる。建物情報入力画面においてＯＫボタンを押下すると、ふたたび診断メニュー画面１００に戻る。
【００６０】
新規作成ボタン１２１または既存データ読込ボタン１２２の押下によって、測定室測定データ２４と建物外部測定データ２６が指定され、かつ建物情報の入力が完了している場合に、暖房停止後温度降下グラフ表示ボタン１２４が押下されると、Ｑ値の推定処理が行われ、図６に示すような暖房停止後温度降下グラフ表示画面１４０が表示される。
【００６１】
データ保存ボタン１２５を押下すると、測定室測定データ２４と建物外部測定データ２６を含むロガーデータ４１のファイル名、および建物情報が、保存データ４２として熱損失係数推定装置３０の記憶装置４０に記憶される。終了ボタン１２６を押下すると、このアプリケーションが終了する。
【００６２】
図６は、暖房停止後温度降下グラフ表示画面１４０の例を示している。暖房停止後温度降下グラフ表示画面１４０には、Ｑ値表示エリア１５０とグラフ表示エリア１６０が表示されている。Ｑ値表示エリアには、本発明の熱損失係数推定装置により推定されたＱ値（たとえば、図６の例では「６．０１」）が表示される。また、グラフ表示エリア１６０には、指定された測定室測定データ２４と建物外部測定データ２６に基づいて、測定室の温度（グラフでは、「床から１２０ｃｍ」として点線で表されている）と建物外部の温度（グラフでは「外気」として実線で表されている）の時間経過による変化が示されている。
【００６３】
さらに、グラフ表示エリア１６０には、熱損失係数を推定する過程で求められた最適値（α、β、Ｔ２０）と等級（省エネルギー対策等級）ごとのＱ値を用いて、各等級に対応する温度降下グラフが表示される。なお、Ｑ値は、地域区分ごとにそれぞれ等級２から等級４まで設定されている。ここで計算されるのは、時間経過に伴う温度変化であり、これが、グラフ表示エリア１６０に示された各等級の領域の間にある境界線に相当する。
【００６４】
たとえば、等級３と等級４の境界線１６１は、等級４のＱ値を元に計算される。より具体的には、Ｑ値が式５にあてはめられることにより、βの値が求まり、さらに、αおよびＴ２０が、Ｑ値を推定する過程で求められた最適値に設定される（ただし、Ｔ２０は、等級に応じて微調整を行う）。Ｔ１０、Ｈｓ１、Ｈｓ２、Ｃの値は、Ｑ値の推定を行ったときと同じである。このような条件で、式１から式４を順次計算し、Ｔ１１〜Ｔ１３６０を求め、これらの点を線で結んで境界線１６１とする。この計算は、α、β、Ｔ２０を固定しているので、発見的手法や総当たり法等による繰り返しはない。以下、同様に、等級２と等級３との境界線、等級１と等級２の境界線を、対応するＱ値を用いて計算し、グラフを完成させる。
【００６５】
グラフ画像保存ボタン１４１を押下すると、暖房停止後温度降下グラフ表示画面１４０に表示されているグラフが、たとえばＪＰＥＧ形式の画像ファイルとして保存される。閉じるボタン１４２の押下により、暖房停止後温度降下グラフ表示画面１４０が閉じられる。なお、暖房停止後温度降下グラフ表示画面１４０では、推定されたＱ値の表示とともに、温度降下グラフも表示しているが、こうしたグラフ表示を省略したり、別の画面で表示するようにもできる。
【００６６】
図７は、本発明に係る熱損失係数推定装置でＱ値を推定する手順を示すフローチャートである。このフローを開始するまでに、測定室と建物外部の温度が測定され、測定結果が測定データ（測定室測定データ２４、建物外部測定データ２６）として取得されていることが前提である。この例では、推定に用いられる測定データの時間は暖房停止時から６時間であり、測定のインターバルは１分である。
【００６７】
まず、上述した式１から式４を使用して、暖房停止の１分後（ｉ＝１）から暖房停止の６時間後（ｉ＝３６０）までの測定室の温度Ｔ１をそれぞれ求める。そのために、ステップＳ１０において、α、β、Ｔ２０の初期値を設定する。Ｔ２については、暖房停止時（ｉ＝０）の値Ｔ２０のみを設定する。次に、ステップＳ１２において、ステップＳ１０で決定されたα、β、Ｔ２０の近傍の探索候補をいくつか設定する。
【００６８】
たとえば、α、β、Ｔ２０について、それぞれ基準となる値付近の７通りの近傍を設定する。したがって、この場合、探索候補の組み合わせは、ステップＳ１０で設定された初期値の組（α、β、Ｔ２０）を含み、７^３通り存在することになる。
【００６９】
次に、ステップＳ１４で、設定されたα、β、Ｔ２０の組についてそれぞれ式１から式４の計算を行い、Ｔ１１からＴ１３６０を求める。ここで、式２および式４は、いわゆる漸化式に類する構造であり、直前の測定タイミング（ｉ）の値を用いて次の測定タイミング（ｉ＋１）の値が求められるため、測定タイミングの経過にしたがって、順次計算を行う必要がある。この結果、たとえば、初期値である第１候補のα、β、Ｔ２０について、Ｔ１１からＴ１３６０が求められ、その近傍として設定された第２候補α、β、Ｔ２０について、別のＴ１１からＴ１３６０が求められる。この例では、こうした計算が７^３回、繰り返されることになる。
【００７０】
次に、ステップＳ１６において、各探索候補について計算された計算データ（Ｔ１１からＴ１３６０）が、測定室についての実際の測定データであるＴ０１からＴ０３６０とそれぞれ比較され、両データの近似度が計算される。ここで、計算データと測定データは通常、同じ測定タイミングのデータ同士で比較される。たとえば、Ｔ１１はＴ０１と比較され、Ｔ１２はＴ０２と比較される。この例では、こうした各測定タイミングにおける比較が３６０回行われ、さらに各探索候補ごとに７^３回、繰り返される。この例では、近似度が、上述したような値Ｚ（各測定タイミングにおける測定値と計算値の差の絶対値を累積加算したもの）で判断される。
【００７１】
その後、ステップＳ１８において、これまでに得られている最も高い近似度と、今回の探索候補のなかで求められた近似度が比較され、今回の探索候補のなかで最も高い近似度が、これまでの近似度より高い（すなわち、今回の最小の値Ｚがこれまで最小の値Ｚより小さい）場合は、さらに探索候補を設定して計算を行うために、ステップＳ２０に進む（最初のループでは、以前の近似度が設定されていないため、必ずステップＳ２０に進む）。今回の探索候補のなかで最も高い近似度が、これまでの近似度と同じ、または低い場合は、探索を終了し、最も高い近似度に関するα、β、Ｔ２０を最適値として決定する。
【００７２】
ステップＳ２０では、近似度が最も高い候補の組（α、β、Ｔ２０）を選択し、ステップＳ２２において、この候補の組についての近傍の探索候補を設定する。この探索候補は、ステップＳ１２と同様の方法により決定される。ただし、これまでに計算が終了している候補が再び候補となる可能性もあるため、そのような候補については計算を重複して行わないよう排除する。
【００７３】
その後、探索候補についての計算で、これまでに得られている近似度と同じ、または低い近似度しか得られなくなるまで、ステップＳ１４以降の処理を繰り返す。この例では、７^３通りの設定候補を設定してＴ１の計算を行い、ステップＳ１８でまとめて以前の近似度と比較しているが、近傍の設定候補を１つずつ設定して計算し、これを繰り返すようもできるし、より多くの設定候補を一気に計算するようにしてもよい。
【００７４】
また、この例では、ステップＳ１８の判定が示すように、設定された探索候補において１つでも以前より高い近似度の計算値（Ｔ１）を達成できなければループが終了するが、その場合に、何回か猶予を与えてさらに別の探索候補を設定して計算を繰り返すように制御することもできる。また、ステップＳ１８による終了条件を削除し、事前に設定した処理時間の間、当該ループを繰り返すようにもできる。このようなケースでは、新たな別の探索候補を設定するための基準となるα、β、Ｔ２０の値を決定しておく必要がある。
【００７５】
このように、図７のフローチャートに示す手順は、α、β、Ｔ２０の値に関していくつかのシミュレーションを行い、発見的手法の１つである、いわゆる山登り法により最適値を求めるものであるが、本発明に係る熱損失係数推定装置では、発見的手法に関するその他の既知の手法を用いて、α、β、Ｔ２０を効率的に求めることもできる。
【００７６】
ただし、本発明に係る熱損失係数推定装置では、総当たり法やその他の既知の解法の使用を排除するものではない。たとえば、α、β、Ｔ２０の値について効果的な範囲を設けたうえで総当たり法を使用するなど、計算量を低減させつつ最適値を効果的に求めるよう制御することもできる。
【００７７】
また、この例では、α、β、Ｔ２０の初期設定に関して、所定の値を用いているが、たとえば、所定のタイミングにおける測定室や建物外部の温度、温度差、温度変化の態様等に基づいて決定することもできる。α、β、Ｔ２０の初期値を、最終的に得られる最適値に、より近い値に設定することができれば、Ｑ値の推定精度および処理速度の点で非常に有利である。また、Ｈｓ１、Ｈｓ２やＣについても、建物の内部条件や断熱仕様によって定められる値とすることができる。
【００７８】
こうして得られた最適値のβを式５に代入して、診断対象の建物に関するＱ値を求めることができる。
【００７９】
図８は、本発明に係る熱損失係数推定装置で最適なα、β、Ｔ２０を求めるための計算課程を簡単な例で具体的に示すものである。測定室測定データ２４のＴ０は、暖房停止時から６分後まで（Ｔ００からＴ０６）が取得されており、同様に、建物外部測定データ２６のＴ３も、同じく暖房停止時から６分後まで（Ｔ３０からＴ３６）が取得されている。高精度なＱ値の推定では、数時間におよぶ多くの測定データを取得することが望ましいが、ここでは、説明を簡略にするため、上記のような短時間の測定データとした。
【００８０】
図８の表は、Ｔ０、Ｔ１、Ｔ３、Ｈ１、Ｔ２、およびＨ２の各変数の内容が、測定タイミング（ｉ）においてどのような値をとるかを示したものである。また、最下行には、各測定タイミングにおける「Ｔ０とＴ１との差」が示されており、その右端には、これらの差の累積加算値（上述の値Ｚ）が示されている。この値Ｚが小さいほどＴ０とＴ１の全体の近似度が高いということになる。
【００８１】
最初に、図８を参照して、α、β、Ｔ２０の初期設定値を用いた計算を説明する。ここで、α＝Ｖα_１、β＝Ｖβ_１、Ｔ２０＝ＶＴ２０_１であり、Ｔ１０＝ＶＴ１０、Ｈｓ１＝ＶＨｓ１、Ｈｓ２＝ＶＨｓ２とする（ここでＶＴ１０は、たとえば、Ｔ００の値（この例では、20.000）に基づいて定められる）。そうすると、式１から式４は、以下のように順次計算される。
【００８２】
式２：Ｈ１０＝（Ｔ１０−Ｔ２０）×α＝（ＶＴ１０−ＶＴ２０_１）×Ｖα_１＝ＶＨ１０
式４：Ｈ２０＝（Ｔ２０−Ｔ３０）×β＝（ＶＴ２０_１−10.000）×Ｖβ_１＝ＶＨ２０
式１：Ｔ１１＝Ｔ１０−Ｈ１０＋Ｈｓ１＝ＶＴ１０−ＶＨ１０＋ＶＨｓ１＝ＶＴ１１
式３：Ｔ２１＝Ｔ２０−Ｈ２０＋Ｈｓ２＝ＶＴ２０_１−ＶＨ２０＋ＶＨｓ２＝ＶＴ２１
式２：Ｈ１１＝（Ｔ１１−Ｔ２１）×α＝（ＶＴ１１−ＶＴ２１）×Ｖα_１＝ＶＨ１１
式４：Ｈ２１＝（Ｔ２１−Ｔ３１）×β＝（ＶＴ２１−10.000）×Ｖβ_１＝ＶＨ２１
式１：Ｔ１２＝Ｔ１１−Ｈ１１＋Ｈｓ１＝ＶＴ１１−ＶＨ１１＋ＶＨｓ１＝ＶＴ１２
以降、Ｔ１６が求められるまで計算を繰り返す。
【００８３】
次に、求めたＴ１の近似度を計算する。この例では、それぞれの測定タイミングでのＴ０とＴ１の差の絶対値を累積加算した値Ｚを計算する。したがって、計算式は以下のようになる。
Ｚ＝Σ［|(ＶＴ１１−20.000)|＋|(ＶＴ１２−19.000)|＋|(ＶＴ１３−18.000)|＋|(ＶＴ１４−18.000)|＋|(ＶＴ１５−17.000)|＋|(ＶＴ１６−16.000)|］
【００８４】
次に、図８の近傍の探索候補として、αを変更し、α＝Ｖα_２、β＝Ｖβ_１、Ｔ２０＝ＶＴ２０_１を設定し、図８と同様の計算を行う。そして、値Ｚが、上記の計算結果より小さくなれば（すなわち、近似度が高くなれば）好ましい値であることが分かる。このように、前回より高い近似度となった場合は計算処理を繰り返し、より最適な値に近づけるようにする。この例では、説明を簡単にするため、新たな探索候補を、α、β、Ｔ２０のうち１つの値を変更して１つだけ設定し計算処理を繰り返したが、図７のフローチャートに示すように、探索候補を一度に多数設定して計算を行うこともできる。
【００８５】
次に、図９を参照して、本発明に係る熱損失係数推定装置３０または熱損失係数推定装置３７として用いられるコンピュータのハードウエア構成の例について説明する。ただし、図９のコンピュータ３００は、本発明の機能を実現するコンピュータの代表的な構成を例示したに過ぎない。また、ＷＥＢブラウザ等が実行されるＰＣ３８についても同様の構成要素により構成されうる。
【００８６】
コンピュータ３００は、ＣＰＵ（Central
Processing Unit）３０１、メモリ３０２、音声出力装置３０３、音声入力装置３１２、ネットワークインタフェース３０４、ディスプレイコントローラ３０５、ディスプレイ３０６、データインタフェース３１３、入力機器インタフェース３０７、キーボード３０８、マウス３０９、外部記憶装置３１０、外部記録媒体駆動装置３１１、およびこれらの構成要素を互いに接続するバス３１４を含んでいる。
【００８７】
ＣＰＵ３０１は、コンピュータ３００の各構成要素の動作を制御し、ＯＳの制御下で、本発明に係る熱損失係数推定装置の各機能（たとえば、測定データ入力部３１、および熱損失係数推定部３２の機能）を実行する。
【００８８】
メモリ３０２は通常、不揮発性メモリであるＲＯＭ（Read Only Memory）、および揮発性メモリであるＲＡＭ（Random Access Memory）から構成される。ＲＯＭには、コンピュータ３００の起動時に実行されるプログラム等が格納される。ＲＡＭには、ＣＰＵ３０１で実行されるプログラムや、それらのプログラムが実行中に使用する測定データ（測定室測定データ２４や建物外部測定データ２６）が一時的に格納される。
【００８９】
音声出力装置３０３は、たとえば、スピーカ等の機器であり、動画プレイヤー等から音声データを受け取り、音声を出力する。音声入力装置３１２は、たとえば、マイクロフォン等の機器であり、音声を入力する。
【００９０】
ネットワークインタフェース３０４は、ネットワーク３２０に接続するためのインタフェースである。ネットワーク３２０は、たとえば、図１に示したネットワーク３９に対応する。ネットワークインタフェース３０４は、ＡＳＰサーバである熱損失係数推定装置３７では必須であるが、スタンドアロンとして稼働する熱損失係数推定装置３０では不要である。
【００９１】
ディスプレイコントローラ３０５は、ＣＰＵ３０１が発行する描画命令を実際に処理するための専用コントローラである。ディスプレイコントローラ３０５で処理された描画データは、一旦グラフィックメモリに書き込まれ、その後、ディスプレイ３０６に出力される。ディスプレイ３０６は、たとえば、ＬＣＤ（Liquid Crystal
Display）やＣＲＴ（Cathode Ray
Tube）で構成される表示装置である。
【００９２】
データインタフェース３１３は、たとえば、ＵＳＢ端子を備えたデータインタフェースで、たとえば、ＵＳＢケーブルで接続された機器のメモリーやハードディスクに記憶されたデータを、外部記憶装置３１０やメモリ３０２に転送する。本発明で利用する測定データ（測定室測定データ２４や建物外部測定データ２６）も、代表的には、こうした経路で温度計からコンピュータ３００に取り込まれる。
【００９３】
入力機器インタフェース３０７は、キーボード３０８やマウス３０９から入力された信号を受信して、その信号パターンに応じて所定の指令をＣＰＵ３０１に送信する。キーボード３０８やマウス３０９は、たとえば、熱損失係数推定装置３０のユーザが、コンピュータに対して入力や指示を行うために用いる。
【００９４】
外部記憶装置３１０は、たとえば、ハードディスクドライブ（ＨＤＤ）のような記憶装置であり、この装置内には上述したプログラムやデータが記録され、実行時に、必要に応じてそこからメモリ３０２のＲＡＭにロードされる。図３に示す記憶装置４０は、こうした装置で構成される。
【００９５】
外部記録媒体駆動装置３１１は、ＣＤ（Compact Disc）、ＭＯ（Magneto-Optical Disc）、ＤＶＤ（Digital
Versatile Disc）、ブルーレイディスク（Blu-ray Disc）などの可搬型の外部記録媒体３３０の記録面にアクセスして、そこに記録されているデータを読み取る装置である。外部記録媒体３３０には、本発明に係る熱損失係数推定装置や熱損失係数推定方法を実現するためのプログラムも記録することが可能である。外部記録媒体３３０に記録されているデータは、外部記録媒体駆動装置３１１を介して外部記憶装置３１０に格納され、プログラムであれば、実行時にメモリ３０２のＲＡＭにロードされる。
【００９６】
また、本発明に係る熱損失係数推定装置や熱損失係数推定方法を実現するためのプログラムの他の流通形態としては、ネットワーク上の所定のサーバから、ネットワーク３２０およびネットワークインタフェース３０４を介して外部記憶装置３１０に格納されるというルートが考えられる。こうして格納されたプログラムは、上記と同様に、実行時にメモリ３０２のＲＡＭにロードされ、実行される。
【００９７】
ここまで、本発明に係る熱損失係数推定装置を、冬期において冷暖房装置１２の暖房機能を停止させた後の温度遷移（実質的には温度降下の状況）の測定データを用いてＱ値の推定を行う装置として説明してきたが、上述のように、夏期において冷暖房装置１２の冷房機能を停止させた後についても同じ論理で本発明の熱損失係数推定装置によるＱ値の推定を行うことができる。すなわち、本発明に係る熱損失係数推定装置では、冷房機能を停止させた後の温度遷移（実質的には温度上昇の状況）の測定データを用いてＱ値の推定を行うことができる。このとき、図２に示す熱移動モデルにおける熱移動の方向は、マイナスの熱が移動する方向とみなすことができ、Ｈ１ｉやＨ２ｉで示される温度降下は温度上昇に読み替えることができる。また、測定室５１は、冷房装置により直接的または間接的に冷房される部屋とし、仮想室５２は、熱供給体である冷房装置が停止した際に、測定室５１と建物外部５３の間の温度を持つ部屋とする。また、冬期における温度測定では、暖房停止時の測定室の温度と外気の温度との差が大きい時間帯を選択して、Ｑ値推定の精度を高めるよう考慮しているが、夏期の場合においても、同様の理由のために、適切な測定の時間帯を選択することができる。
【符号の説明】
【００９８】
１・・・熱損失係数推定システム、１０・・・建物、１２・・・冷暖房装置、１４・・・測定室、２０，２２・・・温度計、２４・・・測定室測定データ、２６・・・建物外部測定データ、３０，３７・・・熱損失係数推定装置、３８・・・ＰＣ、３９・・・ネットワーク、５０・・・建物、５１・・・測定室、５２・・・仮想室、５３・・・建物外部、５４，５５・・・熱供給体
【図１】
0005509402.tif 000002
【図２】
0005509402.tif 000003
【図３】
0005509402.tif 000004
【図４】
0005509402.tif 000005
【図５】
0005509402.tif 000006
【図６】
0005509402.tif 000007
【図７】
0005509402.tif 000008
【図８】
0005509402.tif 000009
【図９】
0005509402.tif 000010